(57)【特許請求の範囲】
【請求項１】
カメラボディからの制御に連動して撮影光学系の絞り開口を制御する絞り手段と、カメラボディからの制御に関わりなく前記撮影光学系の絞り開口値を予め設定する絞りプリセット操作部材であって、前記絞り手段の絞り開口制御は前記絞りプリセット操作部材により設定された絞り開口値に制限される絞りプリセット操作部材とを有する交換レンズ、及び絞り手段は有するが絞りプリセット操作部材を有さない交換レンズの内の少なくとも一方の交換レンズと、
前記撮影光学系の絞り開口を制御する制御手段と、前記絞りプリセット操作部材により設定された絞り開口値に関する絞り情報を検出する検出手段とを有するカメラボディとで構成されるカメラシステムにおいて、
前記交換レンズは、絞りプリセット操作部材を有するか否かに関する有無情報を出力する出力手段を有し、
前記カメラボディは、前記有無情報を前記交換レンズから受け取る入力手段と、絞り制御許可手段とを有し、
前記絞り制御許可手段は、前記入力手段が受け取った有無情報に基づき、装着された交換レンズが絞りプリセット操作部材を有すると判断した場合であって、装着された交換レンズからの絞り情報に基づき、設定された絞り開口値が特定値であることを前記検出手段が検出したときは、前記制御手段による前記撮影光学系の絞り開口制御を許可する一方で、設定された絞り開口値が特定値でないことを前記検出手段が検出したときは、前記制御手段による前記撮影光学系の絞り開口制御を開放Ｆ値から前記設定された絞り開口値の範囲に制限し、
前記有無情報に基づき、装着された交換レンズが絞りプリセット操作部材を有さないと判断した場合、前記検出手段の検出結果にかかわらず、前記制御手段による撮影光学系の絞り開口制御を許可することを特徴とするカメラシステム。
【請求項２】
カメラボディからの制御に連動して撮影光学系の絞り開口を制御する絞り手段と、カメラボディからの制御に関わりなく前記撮影光学系の絞り開口値を予め設定する絞りプリセット操作部材であって、前記絞り手段の絞り開口制御は前記絞りプリセット操作部材により設定された絞り開口値に制限される絞りプリセット操作部材とを有する交換レンズ、及び絞り手段は有するが絞りプリセット操作部材を有さない交換レンズの内の少なくとも一方の交換レンズと、
前記撮影光学系の絞り開口を制御する制御手段と、前記絞りプリセット操作部材により設定された絞り開口値に関する絞り情報を検出する検出手段とを有するカメラボディとで構成されるカメラシステムにおいて、
前記交換レンズは、絞りプリセット操作部材を有するか否かに関する有無情報を出力する出力手段を有し、
前記カメラボディは、前記有無情報を前記交換レンズから受け取る入力手段と、絞り制御許可手段とを有し、
前記絞り制御許可手段は、前記入力手段が受け取った有無情報に基づき、装着された交換レンズが絞りプリセット操作部材を有すると判断した場合であって、装着された交換レンズからの絞り情報に基づき、設定された絞り開口値が特定値であることを前記検出手段が検出したときは、前記制御手段による前記撮影光学系の絞り開口制御を許可し、
前記カメラボディは、設定された絞り開口値が特定値でないことを前記検出手段が検出したときはレリーズを禁止し、
前記有無情報に基づき、装着された交換レンズが絞りプリセット操作部材を有さないと判断した場合、前記検出手段の検出結果にかかわらず、前記制御手段による撮影光学系の絞り開口制御を許可することを特徴とするカメラシステム。
【請求項３】
前記カメラボディは、装着された交換レンズの有する絞りプリセット操作部材により絞り開口制御を行なうレンズ側制御モードに切り換え自在であるが、
前記カメラボディは、前記入力手段が受け取った有無情報に基づき、装着された交換レンズが絞りプリセット操作部材を有さないと判断した場合、前記制御モードへの切り換え時に警告する警告手段を有することを特徴とする請求項１または２に記載のカメラシステム。
【請求項４】
前記カメラボディは、装着された交換レンズの有する絞りプリセット操作部材により絞り開口制御を行なうレンズ側制御モードに切り換え自在であるが、
前記カメラボディは、前記入力手段が受け取った有無情報に基づき、装着された交換レンズが絞りプリセット操作部材を有さないと判断した場合、前記レンズ側制御モードへの切り換えを禁止する禁止手段を有することを特徴とする請求項１または２に記載のカメラシステム。
【請求項５】
前記カメラボディは、装着された交換レンズの有する絞りプリセット操作部材による絞り開口制御を禁止して、前記制御手段による絞り開口制御を行うカメラ側制御モードに切り換え自在であり、
前記カメラボディは、前記入力手段が受け取った有無情報に基づき、装着された交換レンズが絞りプリセット操作部材を有さないと判断した場合、前記カメラ側制御モードへ切り換えることを特徴とする請求項１または２に記載のカメラシステム。
【請求項６】
前記絞りプリセット操作部材は、交換レンズのレンズ鏡筒の周囲を回転自在な絞り環であって、前記絞り開口値は前記絞り環の回転角度位置に対応することを特徴とする請求項１または２に記載のカメラシステム。
【請求項７】
前記特定値は、前記絞り開口を最小とする絞り値であることを特徴とする請求項１または２に記載の交換レンズ式カメラシステム。
【請求項８】
請求項１乃至７のいずれか１項に記載のカメラシステムに用いられる交換レンズにおいて、前記有無情報を保持する保持手段を有することを特徴とする交換レンズ。
【請求項９】
カメラボディからの制御に連動して撮影光学系の絞り開口を制御する絞り手段と、カメラボディからの制御に関わりなく前記撮影光学系の絞り開口値を予め設定する絞りプリセット操作部材であって、前記絞り手段の絞り開口制御は前記絞りプリセット操作部材により設定された絞り開口値に制限される絞りプリセット操作部材とを有する交換レンズ、及び絞り手段は有するが絞りプリセット操作部材を有さない交換レンズの内の少なくとも一方の交換レンズを装着自在なカメラボディであって、
前記撮影光学系の絞り開口を制御する制御手段と、前記絞りプリセット操作部材により設定された絞り開口値に関する絞り情報を検出する検出手段とを有するカメラボディにおいて、
前記交換レンズは、絞りプリセット操作部材を有するか否かに関する有無情報を出力する出力手段を有し、
前記カメラボディは、前記有無情報を前記交換レンズから受け取る入力手段と、絞り制御許可手段とを有し、
前記絞り制御許可手段は、前記入力手段が受け取った有無情報に基づき、装着された交換レンズが絞りプリセット操作部材を有すると判断した場合であって、装着された交換レンズからの絞り情報に基づき、設定された絞り開口値が特定値であることを前記検出手段が検出したときは、前記制御手段による前記撮影光学系の絞り開口制御を許可する一方で、設定された絞り開口値が特定値でないことを前記検出手段が検出したときは、前記制御手段による前記撮影光学系の絞り開口制御を開放Ｆ値から前記設定された絞り開口値の範囲に制限し、
前記有無情報に基づき、装着された交換レンズが絞りプリセット操作部材を有さないと判断した場合、前記検出手段の検出結果にかかわらず、前記制御手段による撮影光学系の絞り開口制御を許可することを特徴とするカメラボディ。
【請求項１０】
カメラボディからの制御に連動して撮影光学系の絞り開口を制御する絞り手段と、カメラボディからの制御に関わりなく前記撮影光学系の絞り開口値を予め設定する絞りプリセット操作部材であって、前記絞り手段の絞り開口制御は前記絞りプリセット操作部材により設定された絞り開口値に制限される絞りプリセット操作部材とを有する交換レンズ、及び絞り手段は有するが絞りプリセット操作部材を有さない交換レンズの内の少なくとも一方の交換レンズを装着自在なカメラボディであって、
前記撮影光学系の絞り開口を制御する制御手段と、前記絞りプリセット操作部材により設定された絞り開口値に関する絞り情報を検出する検出手段とを有するカメラボディにおいて、
前記交換レンズは、絞りプリセット操作部材を有するか否かに関する有無情報を出力する出力手段を有し、
前記カメラボディは、前記有無情報を前記交換レンズから受け取る入力手段と、絞り制御許可手段とを有し、
前記絞り制御許可手段は、前記入力手段が受け取った有無情報に基づき、装着された交換レンズが絞りプリセット操作部材を有すると判断した場合であって、装着された交換レンズからの絞り情報に基づき、設定された絞り開口値が特定値であることを前記検出手段が検出したときは、前記制御手段による前記撮影光学系の絞り開口制御を許可し、
前記カメラボディは、設定された絞り開口値が特定値でないことを前記検出手段が検出したときはレリーズを禁止し、
前記有無情報に基づき、装着された交換レンズが絞りプリセット操作部材を有さないと判断した場合、前記検出手段の検出結果にかかわらず、前記制御手段による撮影光学系の絞り開口制御を許可することを特徴とするカメラボディ。
【発明の詳細な説明】
【０００１】
【発明の属する技術分野】
本発明は、絞りプリセット操作部材を有する交換レンズと、絞りプリセット操作部材を有さない交換レンズとを含む、レンズ交換式カメラシステムに関するものである。
【０００２】
【従来の技術】
写真撮影のために露出を制御する一般的な方法として、シャッタースピードと絞り値の両方を撮影者が任意に設定するマニュアルモード（Ｍモード）、シャッタースピードを撮影者が設定し絞り値はカメラ本体が自動的に制御するシャッタースピード優先モード（Ｓモード）、絞り値を撮影者が設定しシャッタースピードはカメラ本体が自動的に制御する絞り優先モード（Ａモード）、シャッタースピードと絞り値の両方をカメラ本体が自動制御するプログラムモード（Ｐモード）がある。これらのモードの中で、ＭモードとＡモードについては、撮影者が絞り値を設定するための操作部材を必要とする。
【０００３】
ところで、レンズ交換式カメラシステムにおいては、絞り値の設定をレンズ側の絞り環で行なう方式とカメラ本体側の設定部材で行なう方式と考えられるが、どちらかの方式に統一されたシステムが組まれるのが一般的である。また、両方式が混在するものとしては、特開昭６３−１２３０２８号公報に、装着された交換レンズが絞り制御可能であるかどうかを識別し、それに応じて絞り値の設定を交換レンズ側の絞り環で行なう状態とカメラの絞り値設定装置によって行なう状態とを切り換える技術が開示されている。
【０００４】
【発明が解決しようとする課題】
ところで近年、ユーザーの様々な要求を満たすために、装着されたレンズの絞り環により絞り値を設定することを可能とする従来のカメラボディに加えて、ボディ本体側で設定することを可能とするカメラボディや、絞り値を設定するための絞り環を有する従来の交換レンズに加えて、絞り環が省略された交換レンズ等が開発されてきた。
【０００５】
これらカメラボディと交換レンズとの組み合わせによっては、互いに機能が重複し余分となる場合があり、また一方の機能を満たすには他の機能がじゃまになる場合もある。すなわち、これらが混在することでシステムが複雑化し、それに応じて操作手順も複雑化してきているのが実状である。一方、かかるシステム等の複雑化を防止し取り扱いを単純化するために、カメラボディを一の種類の交換レンズだけしか装着できないようにすることも考えられる。しかしながら、交換レンズの互換性を考慮すると、カメラボディは複数種類の交換レンズを装着自在であることが好ましい。
【０００６】
本発明はこの様な従来の問題点に鑑みてなされたもので、複数の方式の交換レンズとカメラボディとで構成されるシステムにおいて、操作性を向上させたものを提供することを目的とする。
【０００７】
【課題を解決するための手段】
上記問題点を解決すべく、本発明にかかるカメラシステムによれば、カメラボディ（１０１，２０１，３０１）からの制御に連動して撮影光学系（３３）の絞り開口を制御する絞り手段（３７）と、カメラボディ（１０１，２０１，３０１）からの制御に関わりなく、前記撮影光学系（３３）の絞り開口値を設定する絞りプリセット操作部材（４３）であって、前記絞り手段（３７）の絞り開口制御は前記絞りプリセット操作部材（４３）により設定された絞り開口値に制限される絞りプリセット操作部材（４３）とを有する交換レンズ（３１）、及び絞り手段（１７）は有するが絞りプリセット操作部材を有さない交換レンズ（１１）の内の少なくとも一方の交換レンズと、前記撮影光学系（１３，３３）の絞り開口を制御する制御手段（１０９，２０９，３０９）と、前記絞りプリセット操作部材（４３）により設定された絞り開口値に関する絞り情報を検出する検出手段（１１１，２１１，３１１）とを有するカメラボディ（１０１，２０１，３０１）とで構成されるカメラシステムにおいて、前記交換レンズ（１１，３１）は、絞りプリセット操作部材（４３）を有するか否かに関する有無情報を出力する出力手段（２１，４１）を有し、前記カメラボディ（１０１，２０１，３０１）は、前記有無情報を前記交換レンズ（１１，３１）から受け取る入力手段（１０５，２０５，３０５）と、絞り制御許可手段（１０３，２０３，３０３）とを有し、前記絞り制御許可手段（１０３，２０３，３０３）は、前記入力手段（１０５，２０５，３０５）が受け取った有無情報に基づき、装着された交換レンズ（３１）が絞りプリセット操作部材（４３）を有すると判断した場合であって、装着された交換レンズ（３１）からの絞り情報に基づき、設定された絞り開口値が特定値であることを前記検出手段（１１１，２１１，３１１）が検出したときは、前記制御手段（１０９，２０９，３０９）による前記撮影光学系（３３）の絞り開口制御を許可する一方で、設定された絞り開口値が特定値でないことを前記検出手段（１１１，２１１，３１１）が検出したときは、前記制御手段（１０９，２０９，３０９）による前記撮影光学系（３３）の絞り開口制御を開口Ｆ値から前記設定された絞り開口値の範囲に制限し、前記有無情報に基づき、装着された交換レンズ（１１）が絞りプリセット操作部材を有さないと判断した場合、前記検出手段（１１１，２１１，３１１）の検出結果にかかわらず、前記制御手段（１０９，２０９，３０９）による撮影光学系（１３）の絞り開口制御を許可することを特徴とする。
また、上記問題を解決すべく、本発明にかかるカメラシステムによれば、カメラボディ（１０１，２０１，３０１）からの制御に連動して撮影光学系（３３）の絞り開口を制御する絞り手段（３７）と、カメラボディ（１０１，２０１，３０１）からの制御に関わりなく、前記撮影光学系（３３）の絞り開口値を設定する絞りプリセット操作部材（４３）であって、前記絞り手段（３７）の絞り開口制御は前記絞りプリセット操作部材（４３）により設定された絞り開口値に制限される絞りプリセット操作部材（４３）とを有する交換レンズ（３１）、及び絞り手段（１７）は有するが絞りプリセット操作部材を有さない交換レンズ（１１）の内の少なくとも一方の交換レンズと、前記撮影光学系（１３，３３）の絞り開口を制御する制御手段（１０９，２０９，３０９）と、前記絞りプリセット操作部材（４３）により設定された絞り開口値に関する絞り情報を検出する検出手段（１１１，２１１，３１１）とを有するカメラボディ（１０１，２０１，３０１）とで構成されるカメラシステムにおいて、前記交換レンズ（１１，３１）は、絞りプリセット操作部材（４３）を有するか否かに関する有無情報を出力する出力手段（２１，４１）を有し；前記カメラボディ（１０１，２０１，３０１）は、前記有無情報を前記交換レンズ（１１，３１）から受け取る入力手段（１０５，２０５，３０５）と、絞り制御許可手段（１０３，２０３，３０３）とを有し、前記絞り制御許可手段（１０３，２０３，３０３）は、前記入力手段（１０５，２０５，３０５）が受け取った有無情報に基づき、装着された交換レンズ（３１）が絞りプリセット操作部材（４３）を有すると判断した場合であって、装着された交換レンズ（３１）からの絞り情報に基づき、設定された絞り開口値が特定値であることを前記検出手段（１１１，２１１，３１１）が検出したときは、前記制御手段（１０９，２０９，３０９）による前記撮影光学系（３３）の絞り開口制御を許可し、前記カメラボディ（１０１、２０１、３０１）は、設定された絞り開口値が特定値でないことを前記検出手段（１１１、２１１、３１１）が検出したときはレリーズを禁止し、前記有無情報に基づき、装着された交換レンズ（１１）が絞りプリセット操作部材を有さないと判断した場合、前記検出手段（１１１，２１１，３１１）の検出結果にかかわらず、前記制御手段（１０９，２０９，３０９）による撮影光学系（１３）の絞り開口制御を許可することを特徴とする。
【０００８】
一方、上記問題点を解決すべく、本願発明にかかるカメラボディによれば、カメラボディ（１０１，２０１，３０１）からの制御に連動して撮影光学系（３３）の絞り開口を制御する絞り手段（３７）と、カメラボディ（１０１，２０１，３０１）からの制御に関わりなく、前記撮影光学系（３３）の絞り開口値を予め設定する絞りプリセット操作部材（４３）であって、前記絞り手段（３７）の絞り開口制御は前記絞りプリセット操作部材（４３）により設定された絞り開口値に制限される絞りプリセット操作部材（４３）とを有する交換レンズ（３１）、及び絞り手段（１７）は有するが絞りプリセット操作部材を有さない交換レンズ（１１）の内の少なくとも一方の交換レンズを装着自在なカメラボディ（１０１，２０１，３０１）であって、前記撮影光学系（１３，３３）の絞り開口を制御する制御手段（１０９，２０９，３０９）と、前記絞りプリセット操作部材（４３）により設定された絞り開口値に関する絞り情報を検出する検出手段（１１１，２１１，３１１）とを有するカメラボディ（１０１，２０１，３０１）において、前記交換レンズ（１１，３１）は、絞りプリセット操作部材（４３）を有するか否かに関する有無情報を出力する出力手段（２１，４１）を有し、前記カメラボディ（１０１，２０１，３０１）は、前記有無情報を前記交換レンズ（１１，３１）から受け取る入力手段（１０５，２０５，３０５）と、絞り制御許可手段（１０３，２０３，３０３）とを有し、前記絞り制御許可手段（１０３，２０３，３０３）は、前記入力手段（１０５，２０５，３０５）が受け取った有無情報に基づき、装着された交換レンズ（３１）が絞りプリセット操作部材（４３）を有すると判断した場合であって、装着された交換レンズ（３１）からの絞り情報に基づき、設定された絞り開口値が特定値であることを前記検出手段（１１１，２１１，３１１）が検出したときは、前記制御手段（１０９，２０９，３０９）による前記撮影光学系（３３）の絞り開口制御を許可する一方で、設定された絞り開口値が特定値でないことを前記検出手段（１１１，２１１，３１１）が検出したときは、前記制御手段（１０９，２０９，３０９）による前記撮影光学系（３３）の絞り開口制御を開放Ｆ値から前記設定された絞り開口値の範囲に制限し、前記有無情報に基づき、装着された交換レンズ（１１）が絞りプリセット操作部材を有さないと判断した場合、前記検出手段（１１１，２１１，３１１）の検出結果にかかわらず、前記制御手段（１０９，２０９，３０９）による撮影光学系（３３）の絞り開口制御を許可することを特徴とする。
また、上記問題点を解決すべく、本願発明にかかるカメラボディによれば、カメラボディ（１０１，２０１，３０１）からの駆動に応じて撮影光学系（３３）の絞り開口を制御する絞り手段（３７）と、カメラボディ（１０１，２０１，３０１）からの駆動に関わりなく、前記撮影光学系（３３）の絞り開口値を予め設定する絞りプリセット操作部材（４３）であって、前記絞り手段（３７）の絞り開口制御は前記絞りプリセット操作部材（４３）により設定された絞り開口値に制限される絞りプリセット操作部材（４３）とを有する交換レンズ（３１）、及び絞り手段（１７）は有するが絞りプリセット操作部材を有さない交換レンズ（１１）の内の少なくとも一方の交換レンズを装着自在なカメラボディ（１０１，２０１，３０１）であって、前記撮影光学系（１３，３３）の絞り開口を制御する制御手段（１０９，２０９，３０９）と、前記絞りプリセット操作部材（４３）により設定された絞り開口値に関する絞り情報を検出する検出手段（１１１，２１１，３１１）とを有するカメラボディ（１０１，２０１，３０１）において、前記交換レンズ（１１，３１）は、絞りプリセット操作部材（４３）を有するか否かに関する有無情報を出力する出力手段（２１，４１）を有し；前記カメラボディ（１０１，２０１，３０１）は、前記有無情報を前記交換レンズ（１１，３１）から受け取る入力手段（１０５，２０５，３０５）と、絞り制御許可手段（１０３，２０３，３０３）とを有し、前記絞り制御許可手段（１０３，２０３，３０３）は、前記入力手段（１０５，２０５，３０５）が受け取った有無情報に基づき、装着された交換レンズ（３１）が絞りプリセット操作部材（４３）を有すると判断した場合であって、装着された交換レンズ（３１）からの絞り情報に基づき、設定された絞り開口値が特定値であることを前記検出手段（１１１，２１１，３１１）が検出したときは、前記制御手段（１０９，２０９，３０９）による前記撮影光学系（３３）の絞り開口制御を許可し、前記カメラボディ（１０１、２０１、３０１）は、設定された絞り開口値が特定値でないことを前記検出手段（１１１，２１１，３１１）が検出したときはレリーズを禁止し、前記有無情報に基づき、装着された交換レンズ（１１）が絞りプリセット操作部材を有さないと判断した場合、前記検出手段（１１１，２１１，３１１）の検出結果にかかわらず、前記制御手段（１０９，２０９，３０９）による撮影光学系（３３）の絞り開口制御を許可することを特徴とする。
【０００９】
【作用】
本発明にかかるカメラシステム又はカメラボディによれば、前記絞り制御許可手段（１０３，２０３，３０３）が、前記入力手段（１０５，２０５，３０５）が受け取った有無情報に基づき、装着された交換レンズ（３１）が絞りプリセット操作部材（４３）を有すると判断した場合であって、装着された交換レンズ（３１）からの絞り情報に基づき、設定された絞り開口値が特定値であることを前記検出手段（１１１，２１１，３１１）が検出したときは、前記制御手段（１０９，２０９，３０９）による前記撮影光学系（３３）の絞り開口制御を許可する一方で、設定された絞り開口値が特定値でないことを前記検出手段（１１１，２１１，３１１）が検出したときは、前記制御手段（１０９，２０９，３０９）による前記撮影光学系（３３）の絞り開口制御を制限し、
前記有無情報に基づき、装着された交換レンズ（１１）が絞りプリセット操作部材を有さないと判断した場合、前記検出手段（１１１，２１１，３１１）の検出結果にかかわらず、前記制御手段（１０９，２０９，３０９）による撮影光学系（１３）の絞り開口制御を許可するので、カメラボディ（１０１，２０１，３０１）に装着された交換レンズ（１１、３１）が絞りプリセット操作部材（４３）を有すると有しないとに関わらず、適切な絞り制御が可能となる。それによりカメラシステムの操作ミスがなくなり、撮影者の操作が簡略化され、全体としての操作性が向上する。
【００１０】
【発明の実施の形態】
以下、本願発明にかかる実施の形態を図面を参照して以下に詳細に説明する。図１〜図３は、本発明の第１の実施の形態を表わす概略ブロック図であり、図６はその動作を表わすフローチャートである。
【００１１】
まず、第１の実施の形態について説明する。図１に示した交換レンズ１１は絞りプリセット操作部材（いわゆる絞り環）を有さない交換レンズで、撮影レンズ１３と、絞り開口径を調整する絞り機構１５と、それを駆動する絞り手段としての絞り込みレバー１７とを備える。絞り込みレバー１７の位置が、後述のカメラボディから光軸回りの回転方向に駆動制御されることで、レンズの絞り値が設定されるようになっている。
【００１２】
さらに、レンズ１１内にはレンズ固有の情報を記憶したデータ記憶手段１９が設けられ、マウント（不図示）近傍に配置された出力手段としてのマウント接点２１を介して、カメラボディへ情報を伝達する。情報は、クロック同期シリアル通信手段（不図示）等によって伝達される。情報には、レンズ製造時に書き込まれた、絞りプリセット操作部材を有さないレンズであることを表わす絞り環無しフラグが含まれる。
【００１３】
図２に示した交換レンズ３１が絞りプリセット操作部材を有する交換レンズで、同様に撮影レンズ３３と、絞り機構３５と、それを駆動する絞り込みレバー３７とを備える。また、この交換レンズ３１も、レンズ内にレンズ固有の情報を記憶したデータ記憶手段３９を有し、出力手段としてのマウント接点４１を介して、カメラボディへ情報を伝達することができる。情報には、レンズ製造時に書き込まれた、絞りプリセット操作部材を有するレンズであることを表わす絞り環ありフラグが含まれる。
【００１４】
一方、レンズ３１のカメラボディ側端面に、絞りプリセット操作部材である絞り環４３が、光軸回りの回転位置によって絞り３５の絞り値を設定するように設けられている。すなわち、絞り環４３の設定位置に応じて絞り込み段数が制限され、絞り値が設定される。またレンズ３１においては、絞り込みレバー３７の駆動によっても絞り機構３５が絞り込まれる。なお一般的には、絞り込みレバー３７によっては、絞り環４３により設定された絞り込み段数以上の絞り込みをすることができない。従って、絞り環４３が特定位置としての絞り開口最小位置にない場合、例えば絞り値が１．４−１６であるレンズにおいて絞り環により設定された絞り値が５．６である場合は、絞り込みレバー３７により設定される絞り値は１．４−５．６の範囲に制限されることとなる。
【００１５】
図３に示したカメラボディ１０１は、後述する絞り値設定操作部材を有さないカメラであって、マイクロコンピュータ等によって構成される絞り制御許可手段としての制御回路１０３を有し、かかる制御回路１０３が種々の信号を取得し、カメラ内部の制御を行なうようになっている。
【００１６】
カメラボディ１０１のマウント近傍に配置された入力手段としての電気接点１０５は、レンズ１１又は３１のマウント接点２１または４１に接続されることで、レンズ内部のデータ記憶手段１９または３９に記憶されたレンズ固有情報を取得する。カメラボディ１０１に設けられたモード選択スイッチ１１３は、カメラの露出モードを切り換えるスイッチであり、かかるスイッチ１１３を切り換えることにより、シャッタースピードと絞り値の両方を撮影者が任意に設定するマニュアルモード（Ｍモード）、シャッタースピードを撮影者が設定し絞り値はカメラ本体が自動的に制御するシャッタースピード優先モード（Ｓモード）、絞り値を撮影者が設定しシャッタースピードはカメラ本体が自動的に制御する絞り優先モード（Ａモード）、シャッタースピードと絞り値の両方をカメラ本体が自動制御するプログラムモード（Ｐモード）のいずれかを選択することができる。
【００１７】
カメラボディ１０１に設けられた絞り連動環１１１は、レンズ３１が装着された際に、レンズ側端面に設けられた突起１１１ａをレンズ３１の絞り環４３のカメラボディ側端面に設けられた突起４３ａに係合させる。絞り連動環１１１は、かかる係合により絞り連動環１１１の回転位置を検出することで、レンズ側絞り環４３の回転位置すなわちプリセット絞り値を検出し、制御回路１０３に入力する。絞り制御回路１０７は、制御回路１０３の制御信号に応じて、絞り駆動レバー１０９を制御駆動し、装着されているレンズの絞り込みレバー１７または３７の位置を所定の絞り込み位置に制御する。
【００１８】
ここで、図１に示した絞り環を有さない交換レンズ１１がカメラボディ１０１に装着された場合には、レンズ側にもカメラボディ側にも絞り値を設定する操作部材がないので、絞り値設定を必要とするＡモードとＭモードは使用できないことになる。
【００１９】
一方、図２に示した絞り環を有する交換レンズ３１がカメラボディ１０１に装着された場合には、レンズ側の絞り環４３で絞り値設定が可能となるので、ＡモードまたはＭモード時の絞り値設定は、レンズ側絞り環４３で行なわれる。
【００２０】
本実施の形態において、かかる複数種類の交換レンズを装着した場合にそれぞれ対応する実際の制御に関わる動作を、図６に示したフローチャートで説明する。
【００２１】
不図示のレリーズボタン等によってカメラボディの動作がスタートすると、ステップＳ１０３で、レンズ内のデータ記憶手段１９または３９からレンズ固有情報を取得する。続くステップＳ１０５で絞り環有無フラグをチェックする。レンズが絞り環無しフラグを出力した場合、すなわち図１のレンズ１１が装着されている場合、ステップＳ１０７で絞り連動環１１１の位置検出を無視する。
【００２２】
次に、ステップＳ１０９でモード選択スイッチ１１３で選択されている露出モードをチェックする。露出モードがＰモードまたはＳモードの場合、ステップＳ１１１で絞り駆動レバー１０９による絞り制御を許可する。この場合、レンズの絞り込みレバー１７がカメラボディ１０１から制御され、ＰモードまたはＳモードが実行される。
【００２３】
ステップＳ１０９でＡモードまたはＭモードが選択されていることを検出した場合、ステップＳ１１５で絞り環による絞り値の設定は不可であることを設定し、ステップＳ１１７で露出モードをＰモードに強制的に設定する。ステップＳ１１９で絞り駆動レバー１０９による絞り制御を許可し、Ｐモードが実行される。なお、ステップＳ１１７ではＰモードに強制設定したが、絞り値の設定が不要なＳモードに強制設定するようにしても良い。
【００２４】
一方、ステップＳ１０５で、レンズが絞り環ありフラグを出力していることを検出した場合、すなわち図２のレンズ３１が装着されている場合には、ステップＳ１２３で露出モードをチェックする。露出モードがＰモードまたはＳモードの場合、ステップＳ１２５で、絞り連動環１１１の位置を検出しレンズの絞り環４３が特定位置たとえば最少絞り位置にセットされているかをチェックする。絞り開口最小位置にセットされている場合、絞り込みレバー３７で全絞り値の制御が可能なので、ステップＳ１２７で絞り駆動レバー１０９による絞り制御を許可し、ＰモードまたはＳモードを実行する。
【００２５】
ステップＳ１２５で絞り環４３が絞り開口最小位置にセットされていない場合、絞り込みレバー３７で全絞り値の制御ができないので、ステップＳ１３１で、例えば警告手段としての液晶ディスプレイ（不図示）により絞り環位置が不適当である旨の警告を表示し、又は禁止手段を兼ねる制御回路１０３によりレリーズを許可しないいわゆるレリーズロックの処理を行なう。なお、レリーズロックの代わりに、開放Ｆ値から絞り環４３がセットされている絞り値の範囲で絞り制御を行なうようにしても良い。
【００２６】
ステップＳ１２３で露出モードがＡモードまたはＭモードである場合、ステップＳ１３５で絞り環４３による絞り値設定を許可し、ステップＳ１３７で絞り連動環１１１による絞り環位置検出を行なって、ＡモードまたはＭモードを実行する。
【００２７】
次に本発明にかかる第２の実施の形態について説明する。図１〜図２と図４の組み合わせは、かかる実施の形態の構成を表わすブロック図であり、図７はその動作を表わすフローチャートである。
【００２８】
図１に示した絞り環なしレンズ１１と図２に示した絞り環ありレンズ３１とが装着可能な図４に示したカメラボディ２０１は、絞り値設定ダイヤル２１５を有するが、その他の構成は図３に示す実施の形態と同じであるので、図３の番号に１００を加えて表示し、その説明を省略する。絞り値設定ダイヤル２１５は、例えばカメラボディ２０１の一部に設けられたダイヤルであって、露出モードがＡモードまたはＭモードの場合に、絞り値を設定するために操作される。設定された絞り値は、信号として制御回路２０３（絞り制御許可手段）に入力され、絞り込みレバー１７又は３７を駆動する絞り駆動レバー２０９を制御するために用いられる。
【００２９】
第２の実施の形態では、カメラボディ２０１が絞り値設定ダイヤル２１５を有するので、図１に示した絞り環無しレンズ１１が装着された場合でも、撮影者による絞り値設定が可能なＡモードまたはＭモードが有効となる。一方、図２に示した絞り環ありレンズ３１が装着された場合には、絞り値の設定がカメラボディ側の絞り値設定ダイヤル２１５で行なわれるので、レンズ側の絞り環４３で絞り値の設定を行なう必要はなくなる。従って、絞り連動環２１１は、レンズの絞り環４３が絞り込みレバー３７による絞り込み動作を制限しない特定位置に設定されているかどうかのみを検出できればよい。本実施の形態においては、絞り環４３が絞り開口最小位置にセットされているかどうかの検出を行なう。
【００３０】
本実施の形態において、図１、図２に示す交換レンズを装着した場合にそれぞれ対応する実際の動作を実際の動作を、図７に示したフローチャートで説明する。
【００３１】
カメラボディ２０１の動作がスタートすると、ステップＳ２０３で、レンズ内のデータ記憶手段１９または３９からレンズ固有情報を取得し、続くステップＳ２０５で絞り環有無フラグをチェックする。レンズが絞り環無しフラグを出力した場合、すなわち図１のレンズ１１が装着されている場合には、ステップＳ２０７で絞り連動環２１１の位置検出値を無視する。
【００３２】
次に、ステップＳ２０９でモード選択スイッチ２１３で選択されている露出モードをチェックする。露出モードがＰモードまたはＳモードの場合、ステップＳ２１１で絞り駆動レバー２０９による絞り制御を許可する。この場合、レンズの絞り込みレバー１７がカメラボディ２０１から制御され、ＰモードまたはＳモードが実行されることとなる。
【００３３】
ステップＳ２０９でＡモードまたはＭモードが選択されていることを検出した場合、ステップＳ２１５で絞り値の設定を、カメラボディ側の絞り値設定ダイヤル２１５によりに設定し、ステップＳ２１９で絞り駆動レバー２０９による絞り制御を許可して、ＡモードまたはＭモードが実行される。この場合、絞り値設定ダイヤル２１５で設定された絞り値に応じて、制御回路２０３が絞り駆動レバー２０９の位置を制御し、絞り込みレバー１７を介してレンズの絞り１５を所望の絞り開口径に制御する。
【００３４】
ステップＳ２０５で、レンズが絞り環ありフラグを出力していることを検出した場合、すなわち図２のレンズ３１が装着されている場合には、ステップＳ２２３で絞り連動環２１１の位置を検出し、レンズの絞り環４３が特定位置たとえば絞り開口最小位置にセットされているかをチェックするする。絞り開口最小位置にセットされている場合、絞り込みレバー３７を用いて全絞り範囲の制御が可能であるので、ステップＳ２２５で絞り駆動レバー２０９による絞り制御を許可し、Ｐモード，Ｓモード，Ａモード，Ｍモードのいずれかをモード選択スイッチ２１３の設定に応じて実行する。本実施の形態による場合、カメラボディに絞り値設定部材（絞り設定ダイヤル）があるので、レンズ側の絞り環を用いなくても、全露出モード下で撮影が可能である。
【００３５】
ステップＳ２２３で絞り環４３が絞り開口最小位置にセットされていない場合、絞り込みレバー３７で全絞り値の制御ができないので、ステップＳ２２９で絞り環位置が不適当である警告を表示し、レリーズ（不図示）を許可しないいわゆるレリーズロックの処理を行なう。
【００３６】
次に本発明にかかる第３の実施の形態について説明する。図１〜図２と図５の組み合わせはかかる実施の形態の構成を表わすブロック図であり、図８はその動作を表わすフローチャートである。
【００３７】
図１に示した絞り環なしレンズ１１と、図２に示した絞り環ありレンズ３１との何れをも装着可能な、図５に示すカメラボディ３０１は、絞り値設定部材選択スイッチ３１７を有する。その他の構成は、図４に示す構成と同じであるので、図４の番号に１００を加えて表示し、説明を省略する。
【００３８】
絞り値設定部材選択スイッチ３１７により、露出モードがＡモードまたはＭモードの場合に、絞り値設定をカメラボディ側の絞り値設定ダイヤル３１５とレンズ側絞り環４３のどちらを使用するかを選択できる。選択された情報は、信号として制御回路３０３（絞り制御許可手段）に入力される。
【００３９】
第３の実施の形態では、絞り値設定を行なうＡモードまたはＭモードにおいて、絞り環無しレンズ１１が装着されている場合には、絞り値設定部材としてカメラボディ側の絞り値設定ダイヤル３１５を用いて絞り制御を行い、絞り環ありレンズ３１が装着されている場合には、絞り値設定部材選択スイッチ３１７の設定に応じて、絞り制御にレンズ側絞り環４３を使用するかカメラボディ側絞り値設定ダイヤル３１５を使用するか選択できるようにする。
【００４０】
実際の動作を、図８に示したフローチャートで説明する。カメラボディの動作がスタートすると、ステップＳ３０３で、レンズ内のデータ記憶手段１９または３９からレンズ固有情報を取得し、ステップＳ３０５で絞り環有無フラグをチェックする。
【００４１】
レンズが絞り環無しフラグを出力した場合、すなわち図１のレンズ１１が装着されている場合、ステップＳ３０７で絞り連動環３１１の位置検出値を無視し、ステップＳ３０９で絞り駆動レバー３０９による絞り制御を許可する。
【００４２】
ステップＳ３１１で絞り値設定部材選択スイッチ３１７の状態を検出して、いずれが選択されたかを判別する。カメラボディ側（ダイヤル３１５）が選択されている場合、全ての露出モードを許可しモード選択スイッチ３１３の設定に応じた露出モードを実行する。
【００４３】
ステップＳ３１１で絞り値設定部材としてレンズ側（絞り環４３）が設定されている場合には、ステップＳ３１７において、絞り値設定部材を強制的にカメラボディ側（ダイヤル３１５）に設定するよう切り換え、ステップＳ３１９で強制切り換えを行なったことを表わす警告表示を行なう。この警告表示としては、たとえば絞り値表示を点滅させる等を行なっても良く、またアラーム音等を発生させても良い。その後、モード選択スイッチ３１３の設定に応じた露出モードが実行される。
【００４４】
ステップＳ３０５で、レンズが絞り環ありフラグを出力していることを検出した場合、すなわち図２のレンズ３１が装着されている場合、ステップＳ３２１で絞り値設定部材選択スイッチ３１７の状態を検出して、何れが選択されたかを判別する。カメラボディ側（ダイヤル３１５）が選択された場合には、ステップＳ３２３で絞り連動環３１１の位置を検出し、レンズの絞り環４３が特定位置たとえば絞り開口最小位置にセットされているかをチェックする。
【００４５】
絞り環４３が絞り開口最小位置にセットされている場合、絞り込みレバー３７で全絞り値の制御が可能であるので、ステップＳ３２５で絞り駆動レバー３０９による絞り制御を許可し、Ｐモード，Ｓモード，Ａモード，Ｍモードのいずれかをモード選択スイッチ３１３の設定に応じて実行する。本実施の形態による場合も、カメラボディに絞り値設定部材（絞り設定ダイヤル）があるので、レンズ側の絞り環を用いなくても全露出モードが実行可能となる。
【００４６】
ステップＳ３２３で絞り環４３が絞り開口最小位置にセットされていない場合、絞りレバー３７で全絞り値の制御ができないので、ステップＳ３２９で絞り環位置が不適当である警告を表示し、レリーズを許可しないいわゆるレリーズロックの処理を行なう。
【００４７】
ステップＳ３２１で絞り値設定部材選択スイッチ３１７による選択がレンズ側である場合には、ステップＳ３３３でモード選択スイッチ３１３の状態を検出して選択を判別する。露出モードがＰモードまたはＳモードが選択されている場合には、ステップＳ３３５で絞り連動環３１１の位置を検出しレンズの絞り環４３が特定位置たとえば絞り開口最小位置にセットされているかをチェックする。絞り開口最小位置にセットされている場合、絞り込みレバー３７で全絞り値の制御が可能であるので、ステップＳ３３７で絞り駆動レバー３０９による絞り制御を許可し、ＰモードまたはＳモードが実行される。
【００４８】
ステップＳ３３５で絞り環４３が絞り開口最小位置にセットされていない場合、絞りレバー３７で全絞り値の制御ができないので、ステップＳ３２９で絞り環位置が不適当である警告を表示し、レリーズを許可しないいわゆるレリーズロックの処理を行なう。
【００４９】
ステップＳ３３３で、露出モードがＡモードまたはＭモードが選択されている場合には、ステップＳ３４１で、レンズ側絞り環４３による絞り値設定を許可し、ステップＳ３４３で、絞り連動環３１１の位置を検出することで、レンズ側絞り環４３の設定値を検出し、設定値に応じたＡモードまたはＭモード下が実行される。
【００５０】
以上、本願発明を実施の形態を参照して説明してきたが、本願発明は上記実施の形態に限定して解釈されるべきではなく、適宜変更・改良が可能であることはもちろんである。例えば、絞りプリセット操作部材としてレンズの絞り環を例に挙げたが、これにこだわらず他の構成も使用できる。更に、カメラ側の絞り値設定部材として、ダイヤルを例に挙げたが、例えば一方を押すと絞り値が下がり他方を押すと上がるような２つの押しボタンを用いることもできる。
【００５１】
【発明の効果】
本発明にかかるカメラシステム又はカメラボディによれば、絞り制御許可手段が、入力手段が受け取った有無情報に基づき、カメラボディに装着された交換レンズが絞りプリセット操作部材を有すると判断した場合であって、装着された交換レンズからの絞り情報に基づき、設定された絞り開口値が特定値であることを検出手段が検出したときは、制御手段による撮影光学系の絞り開口制御を許可する一方で、設定された絞り開口値が特定値でないことを前記検出手段が検出したときは、前記制御手段による前記撮影光学系の絞り開口制御を制限し、
前記有無情報に基づき、装着された交換レンズが絞りプリセット操作部材を有さないと判断した場合、前記検出手段の検出結果にかかわらず、前記制御手段による撮影光学系の絞り開口制御を許可するので、カメラボディに装着された交換レンズが絞りプリセット操作部材を有すると有しないとに関わらず、適切な絞り制御が可能となる。それによりカメラシステムの操作ミスがなくなり、撮影者の操作が簡略化され、全体としての操作性が向上する。
【００５２】
また、レンズ側に絞り環を有し、カメラボディ側にも絞り値設定部材を有する組み合わせの場合でも、絞り値設定部材が自動的に選択されるので、システム全体の操作性が向上する。
【図面の簡単な説明】
【図１】絞りプリセット操作部材を有さない交換レンズの構成を示す図である。
【図２】絞りプリセット操作部材を有する交換レンズの構成を示す図である。
【図３】第１の実施の形態のカメラボディの構成を示す図である。
【図４】第２の実施の形態のカメラボディの構成を示す図である。
【図５】第３の実施の形態のカメラボディの構成を示す図である。
【図６】第１の実施の形態の処理手順を表わすフローチャートを示す図である。
【図７】第２の実施の形態の処理手順を表わすフローチャートを示す図である。
【図８】第３の実施の形態の処理手順を表わすフローチャートを示す図である。
【符号の説明】
１１，３１    撮影レンズ
１９，３９    レンズ固有データ記憶手段
１０１，２０１，３０１    カメラボディ
１０３，２０３，３０３    カメラボディ制御回路
１１３，２１３，３１３    露出モード選択スイッチ
２１５，３１５    絞り値設定ダイヤル
３１７    絞り値設定部材選択スイッチ
４３    レンズ側絞り値設定部材（絞り環）
Ｓ１０７，Ｓ２０７    絞り環位置検出を切り換える処理
Ｓ１２５，Ｓ２２３    絞り環位置を検出する処理
Ｓ３１７，Ｓ３１９    絞り値設定部材を自動的に切り換える処理
【図１】
0003849192.tif 000002
【図２】
0003849192.tif 000003
【図３】
0003849192.tif 000004
【図４】
0003849192.tif 000005
【図５】
0003849192.tif 000006
【図６】
0003849192.tif 000007
【図７】
0003849192.tif 000008
【図８】
0003849192.tif 000009